(57)【特許請求の範囲】
【請求項１】
複数の光増幅器を経て到達する波長多重信号を受信する受信部と、
前記受信部で受信された波長多重信号の各波長の光パワーレベルを測定する測定部と、
前記測定部の測定結果に基づいて算出される前記波長多重信号のチルト量が適正か否かを判定する判定部と、
前記波長多重信号のチルト量が適正でない場合に、前記複数の光増幅器の夫々で実行されるチルト補正処理にて適用すべきチルト補正量を算出する演算部と、
前記チルト補正量を前記複数の光増幅器へ通知する通知部と
を含み、
前記演算部は、波長配置の情報に基づく短波長帯域及び長波長帯域の夫々における光パワーレベルの平均レベルを求め、長波長帯域の光パワーレベルの平均レベルから短波長帯域の光パワーレベルの平均レベルを減じてチルト量の初期値を求め、前記チルト量の初期値を、前記複数の光増幅器の数に１を加えた値で除することにより、前記複数の光増幅器の夫々に対応するチルト補正量を算出する
光伝送装置。
【請求項２】
前記演算部は、前記波長多重信号のチルト量から、前記複数の光増幅器の夫々において適用すべきチルト補正量を算出する
請求項１に記載の光伝送装置。
【請求項３】
前記通知部は、ＯＳＣ(Optical Supervisory Channel)を用いて、前記チルト補正量が
平均的に分配されるように、前記チルト補正量を含む情報を前記各光増幅器に転送する
請求項１又は２に記載の光伝送装置。
【請求項４】
光伝送装置間を結ぶ波長多重信号の伝送路上に配置される光増幅器であって、
受信側の光伝送装置で受信された波長多重信号に基づき算出されたチルト補正量を受信する受信部と、
前記光増幅器で受信される波長多重信号に対するチルト補正を行う可変光減衰器と、
前記チルト補正量に応じた制御量で前記可変光減衰器を制御する制御部と、
を含み、
前記受信部は、前記受信側の光伝送装置が、波長配置の情報に基づく短波長帯域及び長波長帯域の夫々における光パワーレベルの平均レベルを求め、長波長帯域の光パワーレベルの平均レベルから短波長帯域の光パワーレベルの平均レベルを減じてチルト量の初期値を求め、前記チルト量の初期値を前記複数の光増幅器の数に１を加えた値で除することにより算出したチルト補正量を受信する
光増幅器。
【請求項５】
光伝送装置間を結ぶ波長多重信号の伝送路上に配置される光増幅器であって、
受信側の光伝送装置で受信された波長多重信号に基づき算出されたチルト補正量を受信する受信部と、
前記光増幅器で受信される波長多重信号に対するチルト補正を行う可変光減衰器と、
前記チルト補正量に応じた制御量で前記可変光減衰器を制御する制御部と、
前記光増幅器で受信される波長多重信号に対するチルト補正を行うＤＲＡ(Distributed
Raman Amplifier )ポンプレーザと、
前記チルト補正量に応じた制御量で前記ＤＲＡポンプレーザを制御するレーザ制御部と、を含み、
前記受信部は、前記受信側の光伝送装置が、波長配置の情報に基づく短波長帯域及び長波長帯域の夫々における光パワーレベルの平均レベルを求め、長波長帯域の光パワーレベルの平均レベルから短波長帯域の光パワーレベルの平均レベルを減じてチルト量の初期値を求め、前記チルト量の初期値を前記複数の光増幅器の数に１を加えた値で除することにより算出したチルト補正量を受信し、
前記制御部と前記レーザ制御部とが、それぞれ前記可変光減衰器と前記ＤＲＡポンプレーザとに所定回数ずつ又は所定時間ずつチルト補正を行わせる
光増幅器。
【発明の詳細な説明】
【技術分野】
【０００１】
本発明は、光波長多重（WDM: Wave Division Multiplex）された波長多重信号を受信する光伝送装置、及び光伝送装置間で波長多重信号を中継する光増幅器に関し、様々な条件下の伝送路で発生するチルトを適切に補正するチルト補正方式に関する。
【背景技術】
【０００２】
近年の通信トラフィック増加を背景として、光波長多重（WDM ：Wavelength Division Multiplex）伝送装置への需要が高まっている。最近では、基幹網で導入されてきた光中継ノードのみならず、地域網についてもＷＤＭ伝送装置の導入が活発に行われており、光アッド／ドロップノード(光分岐挿入装置：ＯＡＤＭ：Optical Add Drop Multiplex)がネットワーク中に多数配置される。
【０００３】
これらのＷＤＭネットワークシステムでは、ファイバの波長依存性ロス（ＷＤＬ）や、ファイバ非線形効果である誘導ラマン散乱(ＳＲＳ)、及び、ノード内各種光コンポーネントのＷＤＬ等により、信号帯域内の波長間でレベルの偏差が発生する。
【０００４】
このレベルの偏差は、受信器入力部における光の信号対雑音比（ＯＳＮＲ）の劣化や、光入力ダイナミックレンジにも影響し、システムの伝送特性に対して影響する。
【０００５】
従来、システムの伝送特性向上のため、各伝送路ファイバで発生するチルトに対し、中継アンプにて一律の線形なチルト補正を行うことを行ってきた。
【特許文献１】特表２００３−５２９９４８号公報
【発明の開示】
【発明が解決しようとする課題】
【０００６】
従来のチルト補正方式は、各伝送路ファイバに対し、中継アンプで一律の線形なチルト補正を行う。しかしながら、実際には、伝送路ファイバの距離、ＷＤＬ、損失係数、ファイバ種ごとに異なる有効断面積、伝送波長数等により、チルト補正量に対しての差分としてチルトが発生し、適切なチルト補正を実現できていない場合がある。
【０００７】
システム全体でみた場合、そのチルトは累積していく。従って、システムの伝送特性の向上を目的とした、受信器部でのＯＳＮＲの改善及びノード内のレベルダイアの改善に対しては、各伝送路ファイバで発生するチルトを適正に補正することが課題となっている。
【０００８】
本発明の目的は、波長多重信号の伝送路で発生するチルトを適正に補正することができ、波長多重信号のＯＳＮＲの向上を図ることが可能な技術を提供することである。
【課題を解決するための手段】
【０００９】
本発明は、上述した目的を達成するために以下の構成を採用する。すなわち、本発明の第１の態様は、１以上の光増幅器を経て到達する波長多重信号を受信する受信部と、
前記受信部で受信された波長多重信号の各波長の光パワーレベルを測定する測定部と、
前記測定部の測定結果に基づいて算出される前記波長多重信号のチルト量が適正か否かを判定する判定部と、
前記波長多重信号のチルト量が適正でない場合に、前記１以上の光増幅器で実行されるチルト補正処理にて適用すべきチルト補正量を算出する演算部と、
前記チルト補正量を前記１以上の光増幅器へ通知する通知部と
を含む光伝送装置(例えばＯＡＤＭノード)である。
【００１０】
本発明の第１の態様によれば、光伝送装置で受信された波長多重信号のチルト量が適正な範囲内でない場合に、その波長多重信号の伝送路上に位置する各光増幅器(例えばＩＬＡ)に対して、チルト補正量がフィードバックされ、各光増幅器にてチルト補正量に基づくチルト補正が実行される。これによって、光伝送装置は、適正なチルト補正が行われた(チルト量が適正範囲に収まる)波長多重信号、即ち、適正なＯＳＮＲを有する波長多重信号を受信することができる。
【００１１】
好ましくは、本発明の第１の態様における測定部は、前記波長多重信号中の各波長の光パワーレベルを測定する複数のモニタ受光器(例えばモニタＰＤ)を含むことができる。或いは、本発明における測定部は、各波長の光パワーレベルを測定するスペクトラムアナライザを含むことができる。
【００１２】
また、好ましくは、本発明の第１の態様における演算部は、前記波長多重信号のチルト量から、前記１以上の光増幅器の夫々において適用すべきチルト補正量を算出する。
【００１３】
また、好ましくは、本発明の第１の態様における通知部は、前記チルト補正量をＯＳＣ(Optical Supervisory Channel)を用いて前記１以上の光増幅器に転送する。
【００１４】
また、本発明の第２の態様は、光伝送装置間を結ぶ波長多重信号の伝送路上に配置される光増幅器であって、
受信側の光伝送装置で受信された波長多重信号に基づき算出されたチルト補正量を受信する受信部と、
前記光増幅器で受信される波長多重信号に対するチルト補正を行う可変光減衰器と、
前記チルト補正量に応じた制御量で前記可変光減衰器を制御する制御部と
を含む光増幅器(例えばＩＬＡノード)である。
【００１５】
また、本発明の第３の態様は、光伝送装置間を結ぶ波長多重信号の伝送路上に配置される光増幅器であって、
受信側の光伝送装置で受信された波長多重信号に基づき算出されたチルト補正量を受信する受信部と、
前記光増幅器で受信される波長多重信号に対するチルト補正を行う可変光減衰器と、
前記チルト補正量に応じた制御量で前記可変光減衰器を制御する制御部と、
前記光増幅器で受信される波長多重信号に対する増幅とチルト補正を行うＤＲＡ(Distributed Raman Amplifier )ポンプレーザと、前記チルト補正量に応じた制御量で前記ＤＲＡポンプレーザを制御するレーザ制御部と
を含む光増幅器である。
【発明の効果】
【００１６】
本発明によれば、波長多重信号の伝送路で発生するチルトを適正に補正することができ、波長多重信号のＯＳＮＲの向上を図ることができる。
【発明を実施するための最良の形態】
【００１７】
以下、図面を参照して本発明の実施形態について説明する。実施形態の構成は例示であり、本発明は実施形態の構成に限定されない。
【００１８】
〔第１実施形態〕
〈発明の概要〉
《システム及び装置構成》
図１は、本発明を適用可能なリニア構成を有する光伝送システムの例を示す図であり、
図２は、本発明を適用可能なリング構成を有する光伝送システムの例を示す図である。
本発明は、このようなリニア構成及びリング構成の双方に対して適用が可能である。なお、実際の光伝送システムでは、双方向の光伝送路を有するが、図１及び図２では、片方向が省略されている。
【００１９】
図１において、光伝送システムは、光信号の送信側のＯＡＤＭノード１００(１００Ａ)と、受信側のＯＡＤＭノード１００(１００Ｂ)との間に、光信号を増幅するための１以上の中継アンプ(ＩＬＡノード(Optical In-Line Amplifier Equipment))２００が配置されている。ＩＬＡノード２００は、ファイバ伝送路に設置されファイバ損失を補償する光増幅機能とファイバ分散を補償する機能を有する光増幅中継装置である。ＯＡＤＭノードが本発明の光伝送装置に相当し、ＩＬＡノードが本発明の光増幅器に相当する。
【００２０】
ＯＡＤＭノード１００とＩＬＡノード２００との間、及びＩＬＡノード２００間は、光信号の伝送路(光ファイバ)で接続されている。このようにして、ＯＡＤＭノード１００ＡとＯＡＤＭノード１００Ｂとの間が、伝送路及びＩＬＡノードでリニアに(直列に)接続されている。
【００２１】
ＯＡＤＭノード１００Ａは、光信号を伝送路へ送信するための構成として、複数の送信器１０１と、複数の送信器１０１から送信される、異なる波長を有する複数の光信号を合波する合波器１０２と、合波器１０２で合波(多重)された光信号を増幅して伝送路に送出する送信アンプ(例えばＥＤＦＡ(Erbium Doped Fiber Amplifier：光増幅器))１０３とを備えている。
【００２２】
一方、ＯＡＤＭノード１００Ｂは、伝送路からの光信号を受信するための構成として、伝送路からの多重された光信号を増幅する受信アンプ(例えばＥＤＦＡ)１０４と、多重光信号を複数の波長に分離する分波器１０５と、分波された各波長を受信する複数の受信器１０６とを備えている。
【００２３】
なお、実際のＯＡＤＭノードは、ＯＡＤＭノード１００Ａ及びＯＡＤＭノード１００Ｂが備える構成要素を総て備えている。
【００２４】
また、送信アンプ１０３，各中継アンプ(ＩＬＡノード２００)，受信アンプ１０４，及び分波器１０５は、受信された多重光信号の波長スペクトルで生じた波長間のパワーの傾き(ゲインチルト：チルト)を補正するチルト補正部を備えている。
【００２５】
図２に示す光伝送システムでは、複数のＯＡＤＭノード１００が伝送路(光ファイバ)を介してリング状に接続されており、ＯＡＤＭノード間の伝送路上に、必要に応じてＩＬＡノード２００が挿入されている。図２に示すＯＡＤＭノード１００は、図１に示したＯＡＤＭノード１００Ａ及び１００Ｂが有する構成を合わせ持ち、図１における合波器１０２及び分波器１０５の双方の機能を有する合分波／光スイッチ１０７を備えている。
【００２６】
図３は、本発明の第１実施形態に係るＯＡＤＭノード内の構成概略図を示す。図３において、ＯＡＤＭノード１００は、第１の方向(伝送路(光ファイバ)１１Ａ→伝送路１１Ｂ：上り方向とする)に係る第１のユニット(図３における破線の上側)と、第２の方向(伝送路(光ファイバ)１９Ａ→伝送路１９Ｂ：下り方向とする)に関する第２のユニット(図３における破線の下側)とからなる。
【００２７】
第１のユニットと第２のユニットとは同じ構成を有しているので、第１のユニットを例として説明する。第１のユニットは、伝送路１１Ａからの光信号(ＷＤＭ信号)がアンプユニット１１２を有している。アンプユニット１１２は、分波器１１１を有し、伝送路１１
ＡからのＷＤＭ信号から、ＯＳＣ(Optical Service Channel：監視用光インタフェース)の波長のみを分離してＯＳＣ処理部１８に入力する。
【００２８】
アンプユニット１１２は、光スイッチ１１３と接続されており、光スイッチ１１３は、光増幅器(例えばＥＤＦＡ)１１４と接続されており、光増幅器１１４は、光合波器１１５と接続されている。光合波器１１５は伝送路１１Ｂと接続されている。
【００２９】
アンプユニット１１２は、上述した分波器１１１と、分波器１１１からのＷＤＭ信号を増幅する光増幅器１１６と、光増幅器１１６からのＷＤＭ信号の各波長のパワーを調整するＶＯＡ(Variable Optical Attenuator：可変光減衰器)２２と、ＶＯＡ２２の動作を制御する制御部２０と、ＶＯＡ２２から出力されたＷＤＭ信号を増幅する光増幅器１１７と、光増幅器１１７に接続された光スプリッタ１２とを備えている。光スプリッタ１２は、光増幅器１１７から出力されるＷＤＭ信号を２方向に分岐させ、一方向のＷＤＭ信号は、光スイッチ１１３に接続され、他方向のＷＤＭ信号は、分波器１３に接続される(ＷＤＭ信号がドロップされる)。
【００３０】
分波器１３は、ＷＤＭ信号を複数の波長に分離し、各波長を複数の受信器１５へ向けて送出する。分波器１３と各受信器１５との間の伝送路上には、光カプラ(ＣＰＬ)１１８が挿入されており、ＣＰＬ１１８から分岐する波長は、分波器１３が出力可能な複数の波長の夫々について用意された、各波長のパワーレベルを測定する測定部としてのモニタＰＤ(Photo Diode)１４の１つに接続される。各モニタＰＤ１４は、演算部１６と接続されており、演算部１６は、ＯＳＣ処理部１８に接続されている。
【００３１】
また、演算部１６は、装置制御機１７と接続されている。装置制御機１７は、ＯＡＤＭノード１００の制御用のコンピュータであり、制御部(ＣＰＵ等)、記憶装置、入出力インタフェース、入力装置、出力装置等からなる。装置制御機１７が備える記憶装置上には、演算部１６で使用されるデータとして、例えば、ＯＡＤＭノード間ＩＬＡ数，伝送波長数，伝送路タイプ，伝送路入力パワー，及び伝送路長が格納されている。
【００３２】
また、第１のユニットは、複数の送信器(送信機)１１９を有しており、各送信器１１９から出力される波長(光信号)は、光カプラ(ＣＰＬ)１２０を介して合波器１２１に入力される。合波器１２１は、複数の送信器１５からの複数の波長を合波(多重)した光信号を光スイッチ部１１３に入力する。光スイッチ１１３は、合波器１２１からの光信号を伝送路に付加(アッド)して、光増幅器１１４に送出する。
【００３３】
第１のユニットのＯＳＣ処理部１８は、分波器１１１で分離されたＯＳＣ信号を受信し、ＯＳＣ信号に含まれる情報を演算部１６に渡すことができる。また、ＯＳＣ処理部１８は、演算部１６から入力される情報を含むＯＳＣ信号を生成し、下り方向(第２のユニット)の合波器１１５に入力する。これによって、下り方向の伝送路１９Ｂを用いて、上流側のノードへＯＳＣ信号をフィードバックすることができる。
【００３４】
なお、図３に示した構成例において、複数の送信器１１９が図１及び図２における送信器１０１に相当する。また、合波器１２１が図１に示した合波器１０２に相当する。また、光増幅器１１４が図１及び図２に示した送信アンプ１０３に相当する。また、アンプユニット１１２(光増幅器１１６及び１１７)が図１及び図２に示した受信アンプ１０４に相当する。また、分波器１３が図１に示した分波器１０５に相当する。また、複数の受信器１０６が、図１及び図２に示した複数の受信器１０６に相当する。そして、図３における分波器１３，光スイッチ部１１３，及び合波器１２１が、図２に示した合分波／光スイッチ１０７に相当する。
【００３５】
また、アンプユニット１１２が本発明の光伝送装置における受信部に相当し、複数のモニタＰＤ１４が本発明の測定部に相当し、演算部１６が本発明の判定部及び演算部に相当し、ＯＡＣ処理部１８が本発明の通知部に相当する。
【００３６】
図４は、図１及び図２に示した光伝送システムに適用可能なＩＬＡノードの構成例を示す図である。図４において、ＩＬＡノード２００は、上り方向(図４では伝送路(光ファイバ)３４→伝送路１１Ａ)の光信号処理に係る第１のユニット(図４の一点鎖線の上側)と、下り方向(図４では伝送路１９Ｂ→伝送路３５)の光信号処理に係る第２のユニット(図４の一点鎖線の下側)とからなる。
【００３７】
第１及び第２のユニットは同じ構成を有しているので、第１のユニットを例に説明する。第１のユニットは、伝送路３４と伝送路１１Ａとの間を直列に結ぶアンプユニット２０１，光増幅器(送信アンプ：例えばＥＤＦＡ)２０２，及び合波器２０３を備える。
【００３８】
アンプユニット２０１は、伝送路３４からのＷＤＭ信号中のＯＳＣ信号を分離する分波器２０４と、分波器２０４から出力されるＷＤＭ信号を増幅する光増幅器(ＥＤＦＡ)２０５と、光増幅器２０５から出力されたＷＤＭ信号の各波長のパワーを調整する可変光減衰器(ＶＯＡ)３３と、ＶＯＡ３３から出力されたＷＤＭ信号を増幅する光増幅器(ＥＤＦＡ)３６と、ＶＯＡ３３の動作を制御する制御部３１とを備えており、光増幅器３６の出力が光増幅器２０２に接続される。
【００３９】
また、第１のユニットは、合波器２０３に対し、光増幅器２０２からのＷＤＭ信号と合波すべきＯＳＣ信号を出力するＯＳＣ処理部３０を備える。ＯＳＣ処理部３０は、第２ユニットの分波器２０４で下り方向のＷＤＭ信号から分離されるＯＳＣ信号を受信し、ＯＳＣ信号中の情報(下流側のＯＡＤＭノードからのチルト補正量)を制御部３１に入力する。これによって、第１ユニットの制御部３１は、ＯＳＣ処理部３０からの情報に従って(チルト補正量に応じた制御量で)ＶＯＡ３３の動作を制御することができる。さらに、ＯＳＣ処理部３０は、第２のユニットのＯＳＣ処理部３２と接続されている。
【００４０】
なお、ＯＳＣ処理部３０が本発明の光増幅器における受信部に相当し、ＶＯＡ３３が本発明の可変光減衰器に相当し、制御部３３が本発明の光増幅器における制御部に相当する。
【００４１】
《動作の概要》
図１〜図４に示した光伝送システムに関して、図３及び図４を元に、動作の概要を説明する。図１又は図２に示したネットワーク構成において、送信側のＯＡＤＭノード１００から、１以上のＩＬＡノード２００を介して、受信側のＯＡＤＭノード１００へＷＤＭ信号を送信する場合を想定する。
【００４２】
装置(ＯＡＤＭノード１００)の初期立上げ時、各送信機(送信器１１９)から出力された信号波長は、ＯＡＤＭノード１００内のアッド部を構成する合波器１２１によって多重化され、ＷＤＭ信号となる。ＷＤＭ信号は、光スイッチ部１１３においてレベル調整された後、各波長間にレベル偏差のない状態で送信アンプ(光増幅器１１４)へ入力され、光増幅器１１４による増幅後、ファイバ(伝送路)へ出力される。
【００４３】
送信アンプ(光増幅器１１４)から出力される信号波長(ＷＤＭ信号)は、ファイバ損失、ＳＲＳによって、波長間でチルトが発生した状態となる。
【００４４】
送信側のＯＡＤＭノード１１０から出力されたＷＤＭ信号を受信する中継アンプ(ＩＬＡノード２００)では、ＯＡＤＭノード１００から受信されるＷＤＭ信号に関して、前述
した波長間で発生したチルトを補正するため、ＩＬＡノード２００のアンプユニット２０１(ＶＯＡ３３及び制御部３１)は、ＩＬＡノード２００に対してデフォルトで設定されているチルト補正量でチルトを補正するように動作する。
【００４５】
この時点で、伝送路で発生したチルト量と中継アンプ(ＩＬＡノード２００)のチルト補正量との間に差がある場合には、中継アンプ(ＩＬＡノード２００)からの出力にチルトが残っている状態となる。このように、各中継アンプで予め設定されているチルト補正量と伝送路で発生するチルト量に差がある場合には、光伝送システム全体としてのチルトが累積することになる。
【００４６】
受信側のＯＡＤＭノード１００への到達までにチルトが累積した信号波長(ＷＤＭ信号)は、ＯＡＤＭノード１００内のアンプ(光増幅器１１６及び１１７)で増幅された後、分波器１３によって分波される。この際、分波器１３内部の全波長分用意されたモニタＰＤ１４により、各波長の光のパワーレベルがモニタされ、ＯＡＤＭノード１００内のチルト演算部(演算部１６)に取り込まれる。
【００４７】
演算部１６は、各ＰＤ１４からの光レベルモニタ値に加えて、事前に装置(ＯＡＤＭノード１００)外部の制御装置(装置制御機１７)から転送されたシステム構成情報を有している。
【００４８】
システム構成情報は、例えば、ＯＡＤＭノード１００間のＩＬＡノード２００の数、波長配置、波長数、ファイバ種、伝送距離の情報などがある。演算部１６は、これらの情報から、ＯＡＤＭノード１００間で発生したチルト量を計算する。
【００４９】
チルト量を計算する手段として、演算部１６が波長配置の情報を用いることで、短波長帯域と、長波長帯域とを判別することが可能である。演算部１６では、その取り込んだ情報から、短波長帯域と長波長帯域との平均レベルを計算する。計算式は以下の通りである(ＣＨはチャネル)。
【００５０】
短波長帯域平均レベルＣＨAve1 [dBm] ＝
(ＣＨａモニタ値＋ＣＨｂモニタ値＋…＋ＣＨgモニタ値)/計算対象ＣＨ数
長波長帯域平均レベルＣＨAve2  [dBm] ＝
(ＣＨtモニタ値＋…＋ＣＨyモニタ値＋…＋ＣＨzモニタ値)/計算対象ＣＨ数
これらの２値から、演算部１６は、ＯＡＤＭノード１００間のチルト量（初期値）[dB]を算出する。
【００５１】
チルト量（初期値）[dB]  ＝
長波長帯域平均レベルＣＨAve2−短波長帯域平均レベルＣＨAve1
算出されたチルト量（初期値）[dB]と、取り込んでいたＯＡＤＭノード１００間のＩＬＡノード数とを用い、演算部１６は、各ＩＬＡノード２００で必要なチルト補正量[dB]を計算する。式中の“１”はＯＡＤＭノード１００内のアンプ(アンプユニット１１２)を表す。
【００５２】
各ノードの補正量[dB]＝チルト初期値[dB]／(OADMノード間のILA数＋1)
算出された各ＩＬＡノード２００におけるチルト補正量を含む情報を、ＯＳＣ(ＯＳＣ処理部１８)を用いて上流の各ＩＬＡノードに対して転送、通知する。ＯＳＣにより通知されたチルト補正量の情報は、受信部としてのＯＳＣ処理部３０にて受信され、このＯＳＣ処理部３０を介して上流側の各ＩＬＡノード２００内の演算部(アンプユニット２０１)に取り込まれる。
【００５３】
即ち、ＩＬＡノード２００(図４)において、通知されたチルト量に相応した利得変化量が、ＯＳＣ処理部３０を介してアンプユニット２０１内の制御部３１へ通知される。制御部３１は、利得変化量に応じてＶＯＡ３３を制御する。即ち、制御部３１は、予め設定されていたチルト補正量に相応するＶＯＡ量(可変光減衰量)に対して、過不足分を加算する。
【００５４】
ＶＯＡ制御量[dB]＝予め設定されていたチルト補正量に相応するＶＯＡ量＋チルト補正量に相応するＶＯＡ制御量
各ＩＬＡノード２００の総てで制御が完了次第、前述の受信側のＯＡＤＭノード１００では、波長モニタ(モニタＰＤ１４)で波長レベルをモニタし、チルトが基準値内に収まっているか否かを演算部１６が判定し、チルト補正を完了すべきか否かを自動で判断する。
【００５５】
本発明の実施形態によれば、ＯＡＤＭノード１００間で発生したチルトを各アンプ(光増幅器：ＩＬＡノード２００)に配分し、チルト再補正を行うことで、受信ＯＳＮＲを最善化することができる。この結果、光信号の伝送特性が向上する。
【００５６】
また、波長の増減時にも本発明を適用することで伝送特性の最善化ができる。ＯＡＤＭノード１００間で発生したチルトを受信側のＯＡＤＭノード１００のアンプ(光増幅器：アンプユニット１１２)で一括補正することによるノードの特性の劣化を回避できる。また、各中継アンプ(ＩＬＡノード２００)にチルト補正量を平均的に分配することで、ＩＬＡノードのコストを低減することができる。
【００５７】
〈実施形態の詳細〉
次に、図３及び図４を用いてＯＡＤＭノード１００及びＩＬＡノード２００の動作の詳細について説明する。図３に示すＯＡＤＭノード１００では、伝送路１１Ａによって伝送されてきたＷＤＭ信号をアンプユニット１１２で受信する。アンプユニット１１２の分光器(光スプリッタ)１２からドロップされたＷＤＭ信号は、分波器１３で各波長に分波される。
【００５８】
分波された各波長の信号は、複数の受信器１５，及び光レベルのモニタＰＤ１４に入力される。各モニタＰＤ１４で測定された各波長の光パワーレベルは、演算部１６に取り込まれる。
【００５９】
図５は、演算部１６に取り込まれた光パワーレベルを格納するデータ格納テーブルの例を示す表である。図５は、演算部１６が有する記録媒体(記憶装置)上に作成される。図５に示すように、テーブルは、各波長(ＣＨ)毎に、運用波長か未使用波長か(IS(In-Servece)/OOS(Out Of Service))，及び光パワーレベルを格納する。
【００６０】
このような光パワーレベルのデータをもとに、演算部１６は、平均パワーレベルを、短波長帯域と長波長帯域との夫々に関して次のように計算する。このとき、短波長帯域及び長波長帯域の夫々から運用波長(ＩＳ)の光パワーレベルのデータが抽出され、平均レベル算出に使用される。
【００６１】
短波長帯域平均レベルＣＨAve1[dBm] =  
｛(-15)＋（-14）＋(-13)＋(-12)｝ /４  ＝  -13.5  
長波長帯域平均レベルＣＨAve2[dBm] =  
｛(-10)＋（-9）＋(-8)＋(-７) ＋(-6)｝ /5  ＝  -8.0
長波長帯域と短波長帯域とは、そのシステム(ＯＡＤＭノード１００)の最大収容チャネル数をもとに定義する。例えば、最大収容チャネル数がｍであれば、ＣＨ１からＣＨ(ｍ／２)までを短波長帯域と規定し、ＣＨ[(ｍ／２)＋１]からＣＨｍまでを長波長帯域と規
定する。
【００６２】
短波長帯域及び長波長帯域において運用中のチャネル(インサービスチャネル(ＩＳ)），及び未使用のチャネル(アウトオブサービスチャネル(OOS))の情報と格納されているパワーレベルとを元に、演算部１６で平均パワーレベルが計算される。
【００６３】
次に、演算部１６がチルト量を次のように計算する。
【００６４】
チルト量（初期値）[dB]  =   -8.0  −  (-13.5)  ＝  5.5
次に、演算部１６で各ＩＬＡノード２００の補正量を計算する。図６は、装置制御機１７の記憶装置上に格納されているシステム構成情報テーブルの例を示す表である。演算部１６は、装置制御機１７から取り込んだシステム構成情報に含まれる、例えばＯＡＤＭノード間のＩＬＡノード数を補正量算出に用いる。例えば、ＯＡＤＭノード１００間に４つのＩＬＡノードがある場合には、演算部１６は、以下のような各ノードの補正量を算出する。
【００６５】
各ノードの補正量[dB]  ＝  5.5 /（4＋1）  ＝  1.1
計算された各ノードの補正量(例えば上記の“１．１”)を、演算部１６は、ＯＳＣ処理部１８へ通知する。各ノードの補正量の通知を受けたＯＳＣ処理部１８は、伝送路１９Ｂから補正量を送信し、伝送路１１Ａの上流にある(伝送路１９Ｂの下流にある)ＩＬＡノード２００へ転送する。逆方向(図３の下り方向：第２のユニット)も同じ手順を踏むため、説明は省略する。
【００６６】
また、ＯＳＣ処理部１８は、各ノードの補正量を受け取った場合には、この補正量をアンプユニット１１２内の制御部２０に対しても通知する。通知を受けた制御部２０は、補正量に応じたＶＯＡ制御量でＶＯＡ２２の動作を制御する。ＶＯＡ２２は、ＷＤＭ信号中の各波長のパワーレベルがフラットになるようにチルト補正を行う。
【００６７】
ＩＬＡノード２００(図４)では、下流側のＯＡＤＭノード１００のＯＳＣ処理部１８から伝送路１９Ｂを介して受信した各ノードの補正量は、ＩＬＡノード２００内の分波器２０４を介してＯＳＣ処理部３０で受信される。
【００６８】
ＯＳＣ処理部３０は、アンプユニット２０１内の制御部３１と、ＯＳＣ処理部３２へ補正量を転送する。ＯＳＣ処理部３２は、さらに上流に位置するＩＬＡノード２００へ補正量を通知するために、該補正量を合波器２０３を介して伝送路３５へ転送する。
【００６９】
アンプユニット２０１内の制御部３１は、転送されてきた補正量に応じたＶＯＡ制御量でＶＯＡ３３を制御することでチルト補正を実現する。補正量は、伝送路３４の上流にある(伝送路３５の下流にある)ＩＬＡノード２００にも転送され、その上流のＩＬＡノードでも同様のＶＯＡ３３の制御を通じたチルト補正が行われる(ＷＤＭ信号の各波長レベルがフラットにされる)。さらに、上り方向のＩＬＡノードに対しても、同様の手順が実行される(説明は省略する)。
【００７０】
受信側のＯＡＤＭノード１００(図３)のアンプユニット１１２、及びこのアンプユニット１１２の上流に位置する各ＩＬＡノードのアンプユニット２０１でＶＯＡ２２及び３３の制御が完了すると、演算部１６は、チルトが閾値(基準範囲)内に収まっているかを判定する。チルトが閾値内に収まっていれば、演算部１６は、チルト補正は完了とみなしてチルト補正に係る処理を終了し、収まっていなければ、再度同様の手順でチルト補正を実施する。なお、演算部１６は、上流側からのＯＳＣ信号の監視によって、各ＩＬＡノード２００での制御完了を知ることができる。
【００７１】
図７は、チルト補正に係る制御例を示すフローチャートであり、図８は、図７に示した処理中に含まれる短波長帯域及び長波長帯域の情報収集処理を示すフローチャートである。
【００７２】
図７に示す処理は、図１及び図２に示す光伝送システムにおいて、例えば、或るＯＡＤＭノード１００(装置：図３)の電源が投入された場合(装置立ち上げ)によって開始される。
【００７３】
最初に、ＯＡＤＭノード１００の第１のユニット(上り方向)及び第２のユニット(下り方向)の各演算部１６は、装置制御機１７に格納されているシステム構成情報(ネットワーク構成情報：図６)を取り込む(ステップＳ１０１)。
【００７４】
次に、例えば上り方向において、送信側のＯＡＤＭノード１００から受信側のＯＡＤＭノード１００へＷＤＭ信号が伝送されてくる過程において、両者の間に存する１以上のＩＬＡノード２００において、デフォルトの補正量に基づくチルト補正が行われる(ステップＳ１０２)。
【００７５】
次に、受信側のＯＡＤＭノード１００の第１のユニットにおいて、伝送路１１Ａから受信されたＷＤＭ信号中の各波長のパワーレベルがモニタＰＤ１４により測定され、演算部１６に通知される(ステップＳ１０３)。演算部１６は、図５に示したようなテーブルを作成する。
【００７６】
次に、演算部１６が、短波長帯域及び長波長帯域に関して平均パワーレベルを算出する(ステップＳ１０４)。すなわち、図８に示すように、演算部１６は、ステップＳ１０４において、システム最大収容波長数ｍを取得する(ステップＳ１０４１)。
【００７７】
次に、演算部１６は、短波長帯域をＣＨ１〜ＣＨ(ｍ／２)と規定し、長波長帯域をＣＨ(ｍ／２)＋１〜ＣＨｍと規定し、短波長帯域及び長波長帯域のＩＳチャネル情報及びＩＳチャネルのパワーレベルを取得する(ステップＳ１０４２)。
【００７８】
次に、演算部１６は、取得した情報に基づいて、短波長帯域及び長波長帯域の平均パワーレベルを計算する(ステップＳ１０４３)。これによって、短波長帯域の平均パワーレベルＣＨAve1[dBm]，及び長波長帯域平均パワーレベルＣＨAve2[dBm] が算出される。
【００７９】
図７に戻って、次に、演算部１６は、ＯＡＤＭノード間のチルト量を、長波長帯域の平均パワーレベルＣＨAve２[dBm]から短波長帯域平均パワーレベルＣＨAve１[dBm]を減じることで算出する(ステップＳ１０５)。
【００８０】
次に、演算部１６は、チルト量が適正な範囲を示す閾値内か否かを判定する(ステップＳ１０６)。このとき、チルト量が閾値内であれば(Ｓ１０６：ＹＥＳ)、チルト補正に係る処理が終了する。これに対し、チルト量が閾値を超えていれば(Ｓ１０６：ＮＯ)、演算部１６は、各ＩＬＡノード２００で補正すべきチルト量(チルト補正量)を計算する(ステップＳ１０７)。
【００８１】
次に、演算部１６は、補正量をＯＳＣ処理部１８に通知し、ＯＳＣ処理部１８は、上流側の各ＩＬＡノード２００へ向けてチルト補正量を転送する(ステップＳ１０８)。すなわち、ＯＳＣ処理部１８は、補正チルト量を含むＯＳＣ光信号を第２のユニット(下り方向)の合波器１１５へ向けてする。ＯＳＣ光信号は、合波器１１５で光増幅器１１４からＷＤＭ信号と合波された後、伝送路１９Ｂへ送出され、上流側のＩＬＡノード２００へ送信さ
れる。
【００８２】
また、ＯＳＣ処理部１８は、アンプ制御部(アンプユニット１１２の制御部２０)へ、チルト補正量を転送する(ステップＳ１０９)。すると、アンプユニット１１２内の制御部２０は、チルト補正量に基づき、ＶＯＡの制御量を算出してＶＯＡ２２を制御し、ＷＤＭ信号中の各波長のパワーがフラットになるようにチルト補正を行う(ステップＳ１１０)。すなわち、各波長のパワーがフラットになるように、所定値よりも高いパワーを有する波長を減衰させる。その後、処理がステップＳ１０２に戻る。
【００８３】
一方、上流側の各ＩＬＡノード２００において、チルト補正量に基づくチルト補正が行われる(ステップＳ１０２)。具体的には、ＩＬＡノード２００において、伝送路１９Ｂから受信されるＷＤＭ信号は、第２のユニット(下り方向)のアンプユニット２０１に入力され、分波器２０４でＷＤＭ信号中のＯＳＣ信号が分離され、第１のユニット(上り方向)のＯＳＣ処理部３０に入力される。ＯＳＣ処理部３０は、ＯＳＣ信号中から自ノードで適用すべき補正チルト量を抽出し、抽出した補正チルト量を第１のユニットのアンプユニット２０１中の制御部３１に与える。
【００８４】
制御部３１は、与えられた補正チルト量に応じた制御量でＶＯＡ３３を制御し、ＶＯＡ３３は、伝送路３４から受信されるＷＤＭ信号に対するチルト補正を、ＯＡＤＭノード１００におけるＶＯＡ２２と同様の手法で行う(各波長のパワーがフラットになるように、高いパワーを有する波長を減衰させる)。これによって、伝送路１１Ａへ送出されるＷＤＭ信号のチルトが改善される。
【００８５】
また、ＯＳＣ処理部３０は、第２ユニットのＯＳＣ処理部３２に対し、ＯＡＤＭノード１００から通知された補正チルト量を含むＯＳＣ信号を通知する。ＯＳＣ処理部３２は、補正チルト量を含むＯＳＣ信号を合波器２０３に送出する。ＯＳＣ信号は、合波器２０３でＷＤＭ信号と合波された後、伝送路３５へ送出される。このようにして、このＩＬＡノード１００と伝送路３５を介して接続された上流側のＩＬＡノードに対し、ＯＡＤＭノード１００からの補正チルト量を通知することができる。上流側のＩＬＡノードでは、上述したようなチルト補正が行われる。
【００８６】
その後、チルト量が閾値内になるまで、ステップＳ１０２〜Ｓ１１０のループ処理が繰り返し実行される。
【００８７】
〈第１実施形態の作用及び効果〉
第１実施形態によれば、図１及び図２に示されるように、送信側のＯＡＤＭノード１００の送信アンプからのＷＤＭ信号は、波長間のパワーレベルがフラットな状態で出力される。しかし、図７に示したような自動チルト補正処理前では、中継アンプでは、チルト量とデフォルトのチルト補正量との差分によってチルトが発生する(図１では上段、図２では左側のスペクトル参照)。
【００８８】
これに対し、図７に示したような自動チルト補正処理が実施されると、各ＩＬＡノード及び受信側のＯＡＤＭノードで出力されるＷＤＭ信号の各波長のパワーレベルはフラットになる(図１では下段、図２では右側のスペクトル参照)。
【００８９】
このようにして、適正なチルト補正がＩＬＡノード及び受信側のＯＡＤＭノードで実行されることによって、受信されるＷＤＭ信号のＯＳＮＲを適正にすることができ、ＷＤＭ信号の伝送特性の向上を図ることができる。
【００９０】
〔第２実施形態〕  次に、本発明の第２実施形態について説明する。第２実施形態は、
第１実施形態と共通の構成を有するので、主として相違点について説明する。
【００９１】
図９は、本発明の第２実施形態におけるＯＡＤＭノード(ＤＲＡが適用されたＯＡＤＭノード)の構成例を示す図である。図１０に示すＯＡＤＭノード１４０は、図３に示したＯＡＤＭノード１００と以下の点で異なっている。
【００９２】
第１のユニット(上り方向)及び第２のユニットの夫々には、合波器１４１と、ＤＲＡ(Distributed Raman Amplifier)PumpＬＤ(分布ラマン増幅ポンプレーザダイオード)及び制御部１４２(以下、「ＤＲＡユニット１４２」と表記する)とが設けられている。
【００９３】
合波器１４１は、伝送路１１Ａ(１９Ａ)とアンプユニット１１２との間のＷＤＭ信号の伝送路上に配置されている。各ＤＲＡユニット１４２は、第１及び第２ユニットの夫々において、演算部１６，ＯＳＣ処理部１８，及び合波器１４１と接続されている。
【００９４】
ＤＲＡユニット１４２は、ＤＲＡポンプＬＤ(ＤＲＡポンプレーザに相当)と、その制御部(ＤＲＡ制御部：レーザ制御部に相当)とを備えている。ＤＲＡ制御部は、演算部１６からＯＡＤＭノードで実施すべきチルト補正量を受け取り、このチルト補正量に応じた制御量でＤＲＡポンプＬＤを駆動させる。ＤＲＡポンプＬＤは、ＤＲＡ制御部の制御下で伝送路１１Ａを伝送されてくるＷＤＭ中の所望の波長を増幅するための励起光を出力する。励起光は合波器１４１で伝送路１１Ａへ送出される(後方励起)。このようにして、ＤＲＡユニット１４２は、ＷＤＭ信号中の各波長のパワーがフラットになるように、低いパワーを有する波長を増幅する。ＤＲＡユニット１４２は、上述したチルト補正を所定期間行うように構成されている。
【００９５】
以上の点を除き、ＯＡＤＭノード１４０は、第１実施形態におけるＯＡＤＭノード１００と同様の構成を有する。但し、ＤＲＡユニット１４２によるチルト補正と、アンプユニット１１２(ＶＯＡ２２)によるチルト補正とは選択的に実行され、ＤＲＡユニット１４２によるチルト補正がＶＯＡ２２によるチルト補正よりも優先的に実行される。
【００９６】
例えば、演算部１６は、ＤＲＡユニット１４２によるチルト補正に係るフラグを有している。演算部１６は、チルト補正量を送信する際に、フラグを参照して、チルト補正量の送信先を決定する。フラグがオフのとき、演算部１６は、チルト補正量をＤＲＡユニット１４２に送る。これによって、ＤＲＡユニット１４２によるチルト補正が所定期間行われる。ＤＲＡユニット１４２は、所定期間のチルト補正が終了すると、終了通知を演算部１６に与える。すると、ＤＲＡユニット１４２はフラグをオンに設定する。
【００９７】
その後、演算部１６は、チルト補正量を計算して送信する際にフラグを参照する。このとき、フラグがオンになっていれば、演算部１６は、チルト補正量をアンプユニット１１２の制御部２０に送る。これによって、アンプユニット１１２のＶＯＡ２２によるチルト補正が所定期間行われる。ＶＯＡ２２を用いたチルト補正が終了すると、演算部１６はフラグをオフに設定する。フラグのオフは、例えば、制御部２０からの終了通知を受け取ることによって行われる。但し、演算部１６が所定期間を計測するタイマを有し、タイマの所定期間の計時によってフラグのオフが行われるようにしても良い。
【００９８】
図１０は、本発明の第２実施形態におけるＩＬＡノード(ＤＲＡが適用されたＩＬＡノード)の構成例を示す図である。図１０に示すＩＬＡノード２１０は、図４に示したＩＬＡノード２００と以下の点で異なっている。
【００９９】
ＩＬＡノード２１０における第１のユニット(上り方向)及び第２のユニットの夫々には、合波器２１１と、ＤＲＡPumpＬＤ及び制御部２１２(以下、「ＤＲＡユニット２１２」
と表記する)とが設けられている。
【０１００】
合波器２１１は、伝送路３４(１９Ｂ)とアンプユニット２０１との間のＷＤＭ信号の伝送路上に配置されている。ＤＲＡユニット２１２は、第１及び第２ユニットの夫々において、ＯＳＣ処理部３０(３２)及び合波器２１１と接続されている。
【０１０１】
ＤＲＡユニット２１２は、ＤＲＡポンプＬＤと、その制御部(ＤＲＡ制御部)とを備えている。第１ユニットのＤＲＡ制御部は、伝送路１９Ｂ→分波器２０４→ＯＳＣ処理部３０→ＯＳＣ処理部３２のルートを経て入力されるＯＡＤＭノード(又は下流側のＩＬＡノード)からの補正チルト量を受け取ることができる。ＤＲＡ制御部は受け取った補正チルト量に応じた制御量でＤＲＡポンプＬＤを駆動させる。ＤＲＡポンプＬＤは、ＤＲＡ制御部の制御下で伝送路３４を伝送されてくるＷＤＭ中の所望の波長を増幅するための励起光を出力する。励起光は合波器２１１で伝送路３４へ送出される(後方励起)。第２のユニットにおけるＤＲＡユニットでも同様の動作が行われる。このようにして、ＤＲＡユニット２１２は、ＷＤＭ信号中の各波長のパワーがフラットになるように、低いパワーを有する波長を増幅する。このようにしてＤＲＡユニット２１２は、チルト補正を行う。
【０１０２】
以上の点を除き、ＩＬＡノード２１０は、第１実施形態におけるＩＬＡノード２００(図４)と同様の構成を有する。但し、ＤＲＡユニット２１２によるチルト補正と、アンプユニット２０１(ＶＯＡ３３)によるチルト補正とは選択的に実行され、ＤＲＡユニット２１２によるチルト補正がＶＯＡ３３によるチルト補正よりも優先的に実行される。
【０１０３】
例えば、ＯＳＣ処理部３０及び３２の夫々は、第１ユニット(上り方向)におけるＤＲＡユニット１４２によるチルト補正に係るフラグを有している。ＯＳＣ処理部３０は、上流側へ補正チルト量を伝送すべく、ＯＳＣ処理部３２へ補正チルト量を転送することは、第１実施形態と同様である。一方、ＯＳＣ処理部３０は、フラグの状態に従って制御部３１への補正チルト量の転送処理を行う。即ち、フラグがオフであれば、ＯＳＣ処理部３０は制御部３１へ補正チルト量を転送しない。一方、ＯＳＣ処理部３２は、フラグがオフであれば、ＯＳＣ処理部３０から受け取った補正チルト量をＤＲＡユニット２１２に与え、ＤＲＡユニット２１２がチルト補正を所定期間行う。所定期間のチルト補正が終了すると、ＤＲＡユニット２１２のＤＲＡ制御部から終了通知がＯＳＣ処理部３２に与えられ、ＯＳＣ処理部はフラグをオンにする。また、終了通知はＯＳＣ処理部３２からＯＳＣ処理部３０に与えられ、ＯＳＣ処理部３０は終了通知を受け取るとフラグをオンにする。
【０１０４】
ＯＳＣ処理部３０は、フラグがオンになると、補正チルト量を制御部３１にも転送する状態になる。一方、ＯＳＣ処理部３２は、フラグがオンになると、補正チルト量をＤＲＡユニット２１２のＤＲＡユニットに転送しない状態になる。その後、アンプユニット２０１のＶＯＡ３３によるチルト補正が所定期間行われる。所定期間が終了すると、制御部３１は終了通知をＯＳＣ処理部３０に与え、ＯＳＣ処理部３０がフラグをオフに設定する。ＯＳＣ処理部３０は、終了通知をＯＳＣ処理部３２に与え、ＯＳＣ処理部３２がフラグをオフに設定する。このようにして、ＤＲＡユニット２１２によるチルト補正と、アンプユニット２０１によるチルト補正とが交互に行われる。このとき、ＤＲＡユニット２１２によるチルト補正が優先的に行われる。第２のユニット(下り方向)においても、上述したフラグに基づくチルト補正量の転送制御及びチルト補正処理が行われる。
【０１０５】
なお、ＤＲＡユニット２１２によるチルト補正とＶＯＡ３３によるチルト補正とは必ずしも交互に行われる必要はなく、一方のみが複数回繰り返されるようにしても良い。
【０１０６】
図１１は、第２実施形態におけるチルト補正に係る制御フローチャートを示す。図１１に示すステップＳ１０１〜Ｓ１０８の処理は、第１実施形態(図７)とほぼ同様である。但
し、ステップＳ１０８に続くステップＳ１０９Ａにおいて、演算部１６は、フラグの状態に応じて補正チルト量を転送する。すなわち、フラグがオフであれば、補正チルト量がＤＲＡユニット１４２のＤＲＡ制御部へ転送され、フラグがオンであれば、補正チルト量がアンプユニット１１２の制御部２０へ転送される。
【０１０７】
その後、ステップＳ１１０Ａにおいて、ＤＲＡユニット１４２又はＶＯＡ２２によるチルト補正が行われる。従って、図１１に示すステップＳ１０２におけるＩＬＡノードでのチルト補正は、次のようになる。一巡目のＳ１０２では、ＩＬＡノード２１０に設定された初期設定値(デフォルト値)に従って、ＶＯＡ３３によるチルト補正が行われる。二巡目のＳ１０２では、ＯＡＤＭノード１４０から通知された補正チルト量に基づいてＤＲＡユニット２１２を用いたチルト補正が行われる。三巡目のＳ１０２では、ＯＡＤＭノード１４０から通知された補正チルト量に基づいてアンプユニット２０１を用いたチルト補正が行われる。
【０１０８】
なお、ＩＬＡノード２１０が、ＯＡＤＭノード１４０からの１回のチルト補正量通知に基づき、ＤＲＡユニット２１２によるチルト補正と、アンプユニット２０１によるチルト補正との双方を行うように構成しても良い。すなわち、ＩＬＡノード２１０がＯＡＤＭノード１４０からのチルト補正量を受け取ると、次にチルト補正量の通知を受け取るまでの間に、ＤＲＡユニット２１２によるチルト補正を所定時間行った後、アンプユニット２０１によるチルト補正が所定時間行われるようにしても良い。
【０１０９】
〈第２実施形態の作用及び効果〉
第１実施形態では、ＯＡＤＭノード１００の受信部(演算部１６)でチルト量を計算し、アンプ数(中継アンプ(ＩＬＡノード)数＋１)で割ったものを補正量としている。これに対し、図９に示したように、各ＯＡＤＭノードにＤＲＡ（Distributed Raman Amplifier）を搭載し、同様の計算を行うことでチルト補正を行うこともできる。この場合、第１実施形態と同様の式を使い、各ノードの補正量を計算する。
【０１１０】
具体的には、第１実施形態と同様の以下の式を用いる。
【０１１１】
(１)短波長帯域平均レベルＣＨAve1[dBm] =
(CHaモニタ値＋CHbモニタ値＋…＋CHgモニタ値)/計算対象CH数
(例えば、ＣＨaはＣＨ１で、ＣＨgはＣＨ(ｍ／２)である)
(２)長波長帯域平均レベルCHAve2[dBm] =
(CHtモニタ値＋…＋CHyモニタ値＋…＋CHzモニタ値)/計算対象CH数
(例えば、ＣＨｔはＣＨ(ｍ／２)＋１で、ＣＨzはＣＨｍである)
(３)各ノードの補正量[dB]  ＝  チルト初期値[dB] /（OADMノード間のILAノート゛数＋1）
受信側のＯＡＤＭノード１４０では、各ＩＬＡノード２１０の補正量に基づき、ＤＲＡ励起光をＤＲＡユニット１４２のＤＲＡ制御部で制御する。自ノード内のＤＲＡPumpＬＤ(ＤＲＡユニット１４２)の制御に基づくチルト補正を行っても、チルト補正が不足する(チルトが十分に除去できない)場合には、ＩＬＡノード２１０及び受信側のＯＡＤＭノード１４０で第1実施形態と同様の制御を行うのが好ましい。このように、ＤＲＡユニット２１２によるチルト補正の結果に応じてアンプユニット２０１によるチルト補正が行われるようにしても良い。
【０１１２】
このようにして、適正なチルト補正がＩＬＡノード及び受信側のＤＲＡを搭載したＯＡＤＭノードで実行されることによって、ＥＤＦＡの入力レベルが増加することによるＯＳＮＲ改善、及び受信されるＷＤＭ信号のＯＳＮＲを適正にすることができ、ＷＤＭ信号の伝送特性の向上を図ることができる。
【０１１３】
なお、演算部１６は、ＩＬＡノード１４０へのチルト補正量の計算・通知を行う前に、ＤＲＡユニット１４２によるチルト補正を行い、このチルト補正によってもチルト量が閾値内に収まらないときに、ＩＬＡノードに係るチルト補正量の計算・通知を行うようにしても良い。また、第２実施形態において、ＤＲＡユニット２１２を有するＩＬＡノード１４０が適用された例を示したが、ＩＬＡノード１４０の代わりに第１実施形態で説明したＩＬＡノード２００が適用されても良い。逆に、第１実施形態のＯＡＤＭノード１００に対して、第２実施形態で説明したＩＬＡノード２１０が適用されても良い。
【０１１４】
〔第３実施形態〕
第１実施形態では、ＯＡＤＭノード１００の受信部(演算部１６)でチルト量を計算し、アンプ数(中継アンプ(ＩＬＡノード)数＋１)で割ったものを補正量としている。これに対し、各ＯＡＤＭノードにスペクトラムアナライザを搭載し、同様の計算を行うことでチルト補正を行うこともできる。この場合、第１実施形態と同様の式を使い、各ノードの補正量を計算する。
【０１１５】
具体的には、第１実施形態と同様の以下の式を用いる。
【０１１６】
(１)短波長帯域平均レベルＣＨAve1[dBm] =
(CHaモニタ値＋CHbモニタ値＋…＋CHgモニタ値)/計算対象CH数
(例えば、ＣＨaはＣＨ１で、ＣＨgはＣＨ(ｍ／２)である)
(２)長波長帯域平均レベルCHAve2[dBm] =
(CHtモニタ値＋…＋CHyモニタ値＋…＋CHzモニタ値)/計算対象CH数
(例えば、ＣＨｔはＣＨ(ｍ／２)＋１で、ＣＨzはＣＨｍである)
(３)各ノードの補正量[dB]  ＝  チルト初期値[dB] /（OADMノード間のILA数＋1）
図１２は、本発明の第３実施形態におけるＯＡＤＭノード(スペクトラムアナライザが適用されたＯＡＤＭノード)の構成例を示す図である。図１２に示すＯＡＤＭノード１３０は、上り方向のＷＤＭ信号に係る第１ユニットに関する構成が、図３に示したＯＡＤＭノード１００と以下の点で異なっている。
【０１１７】
即ち、分波器１３と各受信器１５との間におけるＣＰＬ１１８が省略されている代わりに、光スプリッタ１２と分波器１３との間にＣＰＬ１３１が挿入されている。ＣＰＬ１３１から分岐するＷＤＭ信号の一方は、スペクトラムアナライザ１３２に入力される。スペクトラムアナライザ１３２は、ＷＤＭ信号中の各波長に対する光パワーレベルを測定し、その測定結果を演算部１６に入力する。このため、波長毎のモニタＰＤ１４がＯＡＤＭノード１３０から省略されている。
【０１１８】
演算部１６は、スペクトラムアナライザ１３２での各波長のパワーレベルの測定結果に基づき、第１実施形態で説明した手法を用いて、チルト補正を行う。以上の点を除き、ＯＡＤＭノード１３０の構成は、ＯＡＤＭノード１００(図３)と同じである。このようなＯＡＤＭノード１３０を適用しても、第１実施形態と同様の作用及び効果を得ることができる。
【０１１９】
以上説明した第１〜第３実施形態における構成は、本発明の目的を逸脱しない範囲で適宜組み合わせることができる。
【０１２０】
〈その他〉
上述した実施形態は、以下の発明を開示する。以下の発明は、本発明の目的を逸脱しない範囲で、必要に応じて適宜組み合わせることができる。
【０１２１】
（付記１）１以上の光増幅器(２００)を経て到達する波長多重信号を受信する受信部(１１２)と、
前記受信部で受信された波長多重信号の各波長の光パワーレベルを測定する測定部(１４)と、
前記測定部の測定結果に基づいて算出される前記波長多重信号のチルト量が適正か否かを判定する判定部(１６)と、
前記波長多重信号のチルト量が適正でない場合に、前記１以上の光増幅器で実行されるチルト補正処理にて適用すべきチルト補正量を算出する演算部(１６)と、
前記チルト補正量を前記１以上の光増幅器へ通知する通知部(１８)と
を含む光伝送装置(１００)。(１)（図１,図２,図３,図７）
【０１２２】
（付記２）前記測定部は、前記波長多重信号中の各波長の光パワーレベルを測定する複数のモニタ受光器(１４)を含む付記１記載の光伝送装置。（図３）
【０１２３】
（付記３）前記測定部は、前記波長多重信号中の各波長の光パワーレベルを測定するスペクトラムアナライザ(１３２)を含む付記１記載の光伝送装置。（図９）
【０１２４】
（付記４）前記演算部(１６)は、前記波長多重信号のチルト量から、前記１以上の光増幅器の夫々において適用すべきチルト補正量を算出する付記１〜３のいずれかに記載の光伝送装置。（２）（図３，図７）
【０１２５】
（付記５）前記通知部(１８)は、前記チルト補正量をＯＳＣ(Optical Supervisory Channel)を用いて前記１以上の光増幅器(２００)に転送する付記１〜４のいずれかに記載の光伝送装置。（３）（図３,図７）
【０１２６】
（付記６）前記受信部(１１２)は、この受信部で受信される波長多重信号に対するチルト補正を行う可変光減衰器(２２)と、前記チルト補正量に応じた制御量で前記可変光減衰器を制御する制御部(２０)とを含む付記１〜５のいずれかに記載の光伝送装置。（図３,図７）
【０１２７】
（付記７）前記受信部で受信される波長多重信号に対するチルト補正を行うＤＲＡポンプレーザと、前記チルト補正量に応じた制御量で前記ＤＲＡポンプレーザを制御するレーザ制御部をさらに含む付記６に記載の光伝送装置。（図９）
【０１２８】
（付記８）光伝送装置(１００Ａ,１００Ｂ)間を結ぶ波長多重信号の伝送路上に配置される光増幅器(２００)であって、
受信側の光伝送装置(１００Ｂ)で受信された波長多重信号に基づき算出されたチルト補正量を受信する受信部(３０)と、
前記光増幅器で受信される波長多重信号に対するチルト補正を行う可変光減衰器(３３)と、
前記チルト補正量に応じた制御量で前記可変光減衰器を制御する制御部(３１)と
を含む光増幅器(２００)。（４）（図１,図２,図４）
【０１２９】
（付記９）  光伝送装置間を結ぶ波長多重信号の伝送路上に配置される光増幅器であって、
受信側の光伝送装置で受信された波長多重信号に基づき算出されたチルト補正量を受信する受信部と、
前記光増幅器で受信される波長多重信号に対するチルト補正を行う可変光減衰器と、
前記チルト補正量に応じた制御量で前記可変光減衰器を制御する制御部と、
前記光増幅器で受信される波長多重信号に対する増幅とチルト補正を行うＤＲＡ(Distr
ibuted Raman Amplifier )Pumpレーザーと、前記増幅量とチルト補正量に応じた制御量で前記ＤＲＡPumpレーザーを制御するレーザー制御部と
を含む光増幅器。(５)  (図１０)
【図面の簡単な説明】
【０１３０】
【図１】図１は、本発明を適用可能な光伝送システム(リニア構成)の例を示す図である。
【図２】図２は、本発明を適用可能な光伝送システム(リング構成)の例を示す図である。
【図３】図３は、図１及び図２に示した光伝送システムで適用可能なＯＡＤＭノード(光信号送受信装置)の構成例を示す図である。
【図４】図４は、図１及び図２に示した光伝送システムで適用可能なＩＬＡノード(中継装置)の構成例を示す図である。
【図５】図５は、受信側のＯＡＤＭノードでモニタされた波長毎の光パワーレベルを格納したテーブルの例を示す表である。
【図６】図６は、チルト補正量計算に用いられるシステム構成情報(ネットワーク構成情報)の例を示す表である。
【図７】図７は、チルト補正処理の例を示す制御フローチャートである。
【図８】図８は、図７に示したチルト補正処理で実行される短波長帯域及び長波長帯域のグルーピング処理の例を示すフローチャートである。
【図９】図９は、本発明の第２実施形態に係るＯＡＤＭノード(ＤＲＡが適用された場合)の構成例を示す図である。
【図１０】図１０は、本発明の第２実施形態に係るＩＬＡノード(ＤＲＡが適用された場合)の構成例を示す図である。
【図１１】図１１は、第２実施形態におけるチルト補正処理の例を示すフローチャートである。
【図１２】図１２は、本発明の第３実施形態に係るＯＡＤＭノード(スペクトラムアナライザが適用された場合)の構成例を示す図である。
【符号の説明】
【０１３１】
１００，１３０・・・ＯＡＤＭノード(光伝送装置、光伝送ノード)
１０１,１１９・・・送信器(送信機)
１０２,１２１・・・合波器
１０３・・・送信アンプ
１０４・・・受信アンプ
１３,１０５,１１１,２０４・・・分波器
１５,１０６・・・受信器(受信機)
１０７・・・合分波／光スイッチ
１１Ａ,１１Ｂ,１９Ａ,１９Ｂ,３４,３５・・・伝送路(光ファイバ)
１２・・・光スプリッタ(分光器)
１４・・・モニタＰＤ
１６・・・演算部
１７・・・装置制御機
１８,３０,３２・・・ＯＳＣ処理部（通知部，受信部）
２０,３１・・・制御部
２２,３３・・・ＶＯＡ
３６,１１６,１１７,２０２,２０５,・・・光増幅器(ＥＤＦＡ)
１１８,１２０・・・ＣＰＬ(光カプラ)
１１２,２０１・・・アンプユニット(アンプ制御部、受信部)
１４１，２１１・・・合波器
１４２，２１２・・・ＤＲＡポンプＬＤ及び制御部(ＤＲＡポンプレーザ、レーザ制御部)２００・・・ＩＬＡノード(中継装置、中継ノード、光増幅器)
【図１】
0005292731.tif 000002
【図２】
0005292731.tif 000003
【図３】
0005292731.tif 000004
【図４】
0005292731.tif 000005
【図５】
0005292731.tif 000006
【図６】
0005292731.tif 000007
【図７】
0005292731.tif 000008
【図８】
0005292731.tif 000009
【図９】
0005292731.tif 000010
【図１０】
0005292731.tif 000011
【図１１】
0005292731.tif 000012
【図１２】
0005292731.tif 000013